(57)【要約】【課題】  押し花を製作する際の皺の発生や変色等を確実に防止し、花弁の薄い花や変色しやすい花であっても、美しい押し花に加工できるようにする。【解決手段】  可撓性及び気体遮断性を具備するフィルム１１からなる略長方形の圧縮密封袋１に、２枚のシート状乾燥剤２１，２２によって生花３を挟んで収容し、圧縮密封袋１内の空気を吸引排気して圧縮密封袋１を密封する。【選択図】  図１
2005262796.tif 000002
【特許請求の範囲】
【請求項１】
可撓性および気体遮断性を有するフィルムからなる袋に、乾燥用シート材とともに植物を収容し、前記袋の外部から前記袋の表面全体に対して法線方向の圧力を加えるとともに、前記袋を密封することを特徴とする押し花の製法。
【請求項２】
可撓性および気体遮断性を有するフィルムからなる袋に、乾燥用シート材とともに植物を収容し、前記袋の内部の空気を強制的に吸引排気することにより前記袋に対して圧力を加えて、前記袋を密封することを特徴とする押し花の製法。
【請求項３】
前記乾燥用シート材は、紙、布または不織布からなる可撓性の基材に乾燥剤を付着または含浸させたシート、若しくは、乾燥剤をシート状に成形したものであることを特徴とする請求項１または２記載の押し花の製法。
【請求項４】
前記乾燥剤は、塩化カルシウム、酸化カルシウム、塩化マグネシウム、塩化リチウム、及びこれらの水和物、無水硫酸マグネシウム、シリカゲルのうち１以上を含むものであることを特徴とする請求項３記載の押し花の製法。
【請求項５】
前記袋には、前記乾燥用シート材及び前記植物のみが収容され、或いは、前記乾燥用シート材及び前記植物の他に可撓性を有する物体のみが収容されることを特徴とする請求項１から４のいずれかに記載の押し花の製法。
【請求項６】
可撓性および気体遮断性を有するフィルムからなる密封可能な袋、及び、乾燥用シート材のみにより構成されることを特徴とする押し花製作用具。
【発明の詳細な説明】
【技術分野】
【０００１】
本発明は、植物を乾燥させて押し花に加工するための押し花の製法、及び、押し花製作用具に関する。
【背景技術】
【０００２】
押し花を製作する伝統的な方法としては、生の草花を紙等に挟み、本や板で押圧して放置し、乾燥させる方法が最もよく知られている。
ところで、草花を乾燥させると、空気中の酸素の影響等によって、草花が著しく変色・褪色してしまう。そこで、従来から、草花を変色・褪色させずに押し花を製作し、保管する方法が提案されてきた（例えば、特許文献１参照。）。
【特許文献１】特公昭６１−５５８８４号公報
【０００３】
特許文献１には、乾燥剤を含む乾燥シートとウレタンフォームのシートで草花を挟み、その全体をポリエチレンシートで包み、これを２枚の板と締付手段とからなる加燥用押板によって押圧することにより、乾燥押花を製造する方法が開示されている。また、乾燥後の押し花を変色させないように保管する方法として、ガスバリヤー性の袋に封入する方法が開示されている。
【発明の開示】
【発明が解決しようとする課題】
【０００４】
上記のように、伝統的な押し花の制作方法、及び、特許文献１に開示された方法では、いずれも草花を乾燥させる段階において草花を押圧する。これは、乾燥に伴う草花の収縮及び皺の発生を抑えるためであり、押し花を製作する場合の常識となっている。
【０００５】
ところが、草花を押圧することで、草花の一部または全部が変色し、或いは変質してしまうことがあった。これは、草花の組織が一部破壊される等の理由によると思われる。特に、ユリやツツジ等の花弁が薄い花を押し花にすると、花弁の一部が明らかに透けてしまうことがあった。
そこで、花弁が薄い花については他の花に比べて弱い力で押圧するという方法が提案されたが、皺を防止するためにはある程度以上の力で押圧せざるを得ない。このため、花弁等が透けてしまうという問題は解決できなかった。
【０００６】
また、特許文献１に開示された方法を含め、従来の押し花の製作方法によっては、草花の変色を完全に防ぐことはできなかった。特に、白い花弁が黄色または黄褐色に変色し、或いは、黄色い花が褐色に変色する現象を抑えることは、極めて困難であった。
【０００７】
そこで、本発明は、皺の発生や変色等を確実に防止することができ、花弁の薄い花や変色しやすい花であっても、美しい押し花にすることが可能な押し花の製法を提供することを目的とする。
【課題を解決するための手段】
【０００８】
上記の目的を達成するため、本発明の押し花の製法は、可撓性および気体遮断性を有するフィルムからなる袋に、乾燥用シート材とともに植物を収容し、前記袋の外部から前記袋の表面全体に対して法線方向の圧力を加えるとともに、前記袋を密封することを特徴とする。
【０００９】
また、本発明の押し花の製法は、可撓性および気体遮断性を有するフィルムからなる袋に、乾燥用シート材とともに植物を収容し、前記袋の内部の空気を強制的に吸引排気することにより前記袋に対して圧力を加えて、前記袋を密封することを特徴とする。
【００１０】
また、本発明において、前記乾燥用シート材を、紙、布または不織布からなる可撓性の基材に乾燥剤を付着または含浸させたシート、若しくは、乾燥剤をシート状に成形したものとしても良い。
【００１１】
また、本発明において、前記乾燥剤を、塩化カルシウム、酸化カルシウム、塩化マグネシウム、塩化リチウム、及びこれらの水和物、無水硫酸マグネシウム、シリカゲルのうち１以上を含むものとしても良い。
【００１２】
また、本発明において、前記袋に、前記乾燥用シート材及び前記植物のみが収容され、或いは、前記乾燥用シート材及び前記植物の他に可撓性を有する物体のみが収容されることとしても良い。
【００１３】
また、本発明の押し花製作用具は、可撓性および気体遮断性を有するフィルムからなる密封可能な袋、及び、乾燥用シート材のみにより構成されることを特徴とする。
【発明の効果】
【００１４】
本発明によれば、可撓性および気体遮断性を有するフィルムからなる袋に、乾燥用シート材とともに植物を収容し、袋の外部から袋の表面全体に対して法線方向の圧力を加えるとともに、袋を密封するので、植物を押圧しながら乾燥用シート材によって植物に含まれる水分を除去することにより、縮みや皺の無い押し花を作ることができる。特に、袋の外部から袋の表面全体に対して法線方向の圧力を加えることで、袋に収容された植物を損傷させることなく、植物を押圧することができる。従来の方法においては、板等により植物を特定の１方向または２方向から面的に押圧することで、植物の一部のみに過剰な押圧力が加わって植物が損傷し、花弁が透けてしまう等の不具合を生じていたが、本発明によれば、植物の全体を適切に押圧することができ、上記不具合を確実に回避できる上、植物のもとの状態における凹凸や風合いを良好に残した、趣のある押し花を作ることができる。
また、植物の全体に押圧力を加えることができるので、植物の乾燥時における皺の発生を、植物全体において確実に防止できる。
また、袋に圧力が加わる際に袋の中の空気が排出されるので、酸素が少ない環境下において植物を乾燥させることができ、植物の変色や褪色を抑えることができる。
これにより、縮み、皺、変色及び褪色が無く、植物のもとの状態における凹凸や風合いを生かした、趣のある美しい押し花を作ることができる。
【００１５】
また、本発明の押し花の製法は、可撓性および気体遮断性を有するフィルムからなる袋に、乾燥用シート材とともに植物を収容し、袋の内部の空気を強制的に吸引排気することにより袋に対して圧力を加えて、袋を密封するので、植物を押圧しながら、乾燥用シート材によって植物に含まれる水分を除去することにより、縮みや皺の無い押し花を作ることができる。また、空気を強制的に吸引排気して袋に圧力を加えるので、袋の外部から袋の表面全体に対して法線方向の圧力が加わる。これにより、袋に収容された植物を損傷させることなく植物を押圧することが可能であり、植物が損傷して花弁が透けてしまう等の不具合を確実に回避できる上、さらに、植物のもとの状態における凹凸や風合いを良好に残した、趣のある押し花を作ることができる。また、袋の中の空気を排気することで、酸素が少ない環境下において植物を乾燥させることができ、植物の変色や褪色を抑えることができる。これにより、縮み、皺、変色及び褪色が無く、趣のある美しい押し花を作ることができる。また、空気を吸引排気する際の吸引力を調節することにより、袋と植物に加わる力の大きさを容易に調節できるので、花弁が薄い花、厚みのある花、大きな花等、従来は押し花に加工しにくかった植物であっても、美しい押し花に加工することができる。
【００１６】
また、本発明において、袋に、乾燥用シート材及び植物のみが収容され、或いは、乾燥用シート材及び植物の他に可撓性を有する物体のみが収容されることとした場合、植物に対して、特定の１方向または２方向から面的に押圧するような力が加わらない。このため、植物を損傷させることなく最適な状態で押圧することができ、美しい押し花を作ることができる。
【発明を実施するための最良の形態】
【００１７】
以下、本発明の実施の形態を図面に基づき説明する。
図１は、本発明の実施の形態における押し花の製法を説明するための分解斜視図である。図１に示すように、本実施の形態における押し花の製法では、生花３（植物）を、２枚のシート状乾燥剤２１，２２（乾燥用シート材）に挟んで、圧縮密封袋１（袋）に封入する。
【００１８】
圧縮密封袋１は、水及び湿気を遮断する性質と、気体を遮断する性質と、可撓性とを具備するフィルム１１を、辺縁部１２において溶着または接着して構成された、略長方形の袋である。図１に示す例において、圧縮密封袋１は、上記長方形の一辺に相当する部分が開口している。この開口部には、押圧操作により密閉可能なファスナー１３が形成されており、ファスナー１３を押圧して閉じるだけで圧縮密封袋１の内部を気密的に密封することができる。ファスナー１３を閉じて密封された圧縮密封袋１は、水、湿気及び気体が内部に侵入せず、かつ、容易に屈曲させることが可能である。
なお、フィルム１１は、ナイロン、ポリエチレン、ポリプロピレン、ＥＶＡ（エチレン―酢酸ビニル共重合樹脂）等の合成樹脂製のフィルムである。フィルム１１は単層構造のフィルムに限定されず、それぞれ異なる材料からなる複数のフィルムを積層したものを用いることもできる。
【００１９】
シート状乾燥剤２１，２２は、紙、布、不織布等のシート状の基材に乾燥剤を付着または含浸させたもの、或いは、上記乾燥剤をシート状に成形したものであり、可撓性を有し、容易に屈曲変形させることができる。乾燥剤としては、例えば塩化カルシウム、酸化カルシウム（生石灰）、塩化マグネシウム、塩化リチウム、これらの化合物の水和物（例えば、塩化マグネシウム二水和物等）、無水硫酸マグネシウム、シリカゲル等が挙げられるが、空気中の水分を化学的または物理的に除去または吸着することが可能なものであれば良い。
【００２０】
生花３は、押し花に加工しようとする生の植物であり、ここでは切り花を用いる例について説明する。
【００２１】
生花３を加工して押し花を製作する手順は、次の通りである。
まず、生花３を、適度な大きさの２枚のシート状乾燥剤２１，２２によって挟む。この作業においては、押し花の仕上がり状態を考えて、生花３の葉や花弁等が好みの位置になるよう適宜調整を行うと良い。また、生花３をシート状乾燥剤２１，２２で挟む際に、生花３を押圧して変形させるような力を加える必要はない。なお、生花３がシート状乾燥剤２１，２２からはみ出さないよう、生花３よりも十分に大きいシート状乾燥剤２１，２２を用いると、良好な仕上がりが期待できる。
【００２２】
次に、生花３を挟んだシート状乾燥剤２１，２２を圧縮密封袋１内に収容し、圧縮密封袋１内の空気を強制的に吸引して排気し、ファスナー１３を閉じて、生花３をシート状乾燥剤２１，２２とともに密封する。
【００２３】
図２は、生花３をシート状乾燥剤２１，２２に挟んで圧縮密封袋１に密封した状態を示す斜視図である。また、図３は、図２のＡ−Ａ´線における断面図である。
【００２４】
図２及び図３に示すように、生花３は、シート状乾燥剤２１，２２に挟まれた状態で圧縮密封袋１に収容され、密封される。
生花３及びシート状乾燥剤２１，２２を密封する際に圧縮密封袋１内の空気が強制的に吸引排気されることで、圧縮密封袋１内が減圧され、圧縮密封袋１のフィルム１１は生花３の表面に沿って屈曲変形し、シート状乾燥剤２１，２２とともに生花３に張り付いた状態となる。
【００２５】
圧縮密封袋１内の空気を排気する作業においては、真空ポンプ等または排気ファンを用いた機器（例えば、掃除機等）等の強制排気装置を用いると良い。具体的な手順を説明すると、上記強制排気装置に連通するパイプを圧縮密封袋１の開口部に挿入し、このパイプ以外の部分においてファスナー１３を閉めて空気の流入を防止し、強制排気装置を動作させ、圧縮密封袋１内の空気を吸引して排出する。そして、圧縮密封袋１内の空気が十分に排出され、圧縮密封袋１の内部が減圧状態となったところで、上記パイプを圧縮密封袋１から引き抜きながらファスナー１３を完全に閉じれば、密封作業が完了する。
なお、圧縮密封袋１から空気を吸引する際の吸引力を調節するため、強制排気装置とともに調節装置を用いても良い。
【００２６】
ここで、吸引排気中の圧縮密封袋１内部の状態について説明する。
吸引排気を開始した直後は、フィルム１１が屈曲変形して圧縮密封袋１内の空気が速やかに減少する。この間、圧縮密封袋１内の気圧は大気圧よりも若干低くなっている。排気がある程度進行すると、圧縮密封袋１内の大部分の空気が排出され、圧縮密封袋１内の空気は生花３の花弁の隙間等に存在するわずかな空気だけになる。そして、フィルム１１とシート状乾燥剤２１，２２が生花３の外形に沿って張り付いた状態になる。
【００２７】
ここで、さらに吸引を行うと、フィルム１１が生花３に当たって変形しにくくなるので、圧縮密封袋１からの排気が鈍り、圧縮密封袋１内の気圧が低下する。このため、圧縮密封袋１は、大気圧と圧縮密封袋１内の気圧の差により生じる圧力によって押圧される。
【００２８】
気圧の差により生じる圧力は、圧縮密封袋１の周辺大気から圧縮密封袋１の表面に対して、圧縮密封袋１の表面の法線方向から加わる。この圧力は、圧縮密封袋１が閉じた立体をなしている場合、圧縮密封袋１の体積を圧縮するように圧縮密封袋１の周囲の全方向から加わるもので、特定の１方向または２方向から平面的に押圧する力とは全く異なる。
従って、圧縮密封袋１内の生花３に対しては、生花３を平たく押しつぶすような力は加わらず、生花３の形状を保ちながら全体的に生花３を圧縮する方向に力が加わる。
【００２９】
ところが、生花３にはフィルム１１及びシート状乾燥剤２１，２２が張り付いているから、フィルム１１及びシート状乾燥剤２１，２２の面に沿った方向（例えば、生花３の茎の長さ方向）から圧縮密封袋１に加わる圧力は、フィルム１１及びシート状乾燥剤２１，２２の弾性により妨げられ、生花３には殆ど伝わらない。また、減圧された状態における圧縮密封袋１の形状は、ほぼ平たくなっているので、圧縮密封袋１に対してフィルム１１及びシート状乾燥剤２１，２２の面に沿った方向から加わる力の和は、フィルム１１及びシート状乾燥剤２１，２２の面側から加わる力の和に比べて極めて小さい。
結果的に、生花３に対しては、主にフィルム１１及びシート状乾燥剤２１，２２の面側から大きな力が加わる。
【００３０】
圧縮密封袋１内の気圧が低下してから、さらに吸引を行うと、圧縮密封袋１内の気圧がより低下して生花３に加わる力が増大する。この力の増大によって、生花３が徐々に変形し、生花３の花弁の隙間等に存在していた空気が排気される。
ここで、さらに吸引を続けると、生花３が変形しなくなり、圧縮密封袋１からの排気がほぼ止まる。この状態では、圧縮密封袋１内の気圧が大気圧に比べて低く保たれ、生花３の剛性及びフィルム１１の弾性及びシート状乾燥剤２１，２２の弾性と、気圧差による圧力との平衡が保たれる。ここでファスナー１３を閉鎖すれば、圧縮密封袋１が減圧された状態で密封される。
【００３１】
以上の手順により、生花３をシート状乾燥剤２１，２２に挟んで圧縮密封袋１に密封した後は、そのまま数時間から数日間乃至数週間放置しておけば、生花３に含まれる水分がシート状乾燥剤２１，２２に吸収されて生花３が乾燥し、生花３が押し花となる。
【００３２】
このように、本実施の形態における押し花の製法によれば、生花３をシート状乾燥剤２１，２２に挟んで圧縮密封袋１に収容し、圧縮密封袋１内の空気を吸引排気して密封するという、極めて簡単な作業によって、非常に美しい押し花を製作できる。
【００３３】
本実施の形態における押し花の製法においては、圧縮密封袋１の表面全体に対して、圧縮密封袋１の外部から法線方向の圧力が加わる。
従来の方法によれば、板で挟む等の手順を経るために、生花に対して特定の１方向または２方向から面的に押圧する力が加わっていた。このため、生花が立体的な形状を有する場合は、板等に当接する特定の箇所にのみ過大な力が加わってしまい、生花が損傷し、花弁が透けてしまう等の不具合が生じていた。また、生花に対する押圧力にむらが生じ、押圧力を受けなかった箇所に皺が発生するという不具合が生じていた。
本実施の形態における押し花の製法によれば、生花３に対して、生花３を全体的に圧縮するような力が加わる。このため、上記のような不具合が発生しない上、植物のもとの状態における凹凸や風合いを良好に残すことができる。
これにより、縮みや皺、変色や褪色が無く、植物のもとの状態における凹凸や風合いを生かした、趣のある美しい押し花を作ることができる。
【００３４】
また、圧縮密封袋１に密封された生花３は、密封後、シート状乾燥剤２１，２２によって水分を奪われ、徐々に乾燥する。この乾燥過程において、生花３は、圧縮密封袋１の内外の気圧差によって押圧されているので、生花３の乾燥中に皺が生じることはない。また、乾燥過程において生花３は酸素が極めて少ない環境下にあるから、生花３の酸化が抑制されるので、生花３の変色や褪色を抑えることができる。
【００３５】
また、本実施の形態における押し花の製法によれば、圧縮密封袋１内の空気を強制的に吸引排気することで生花３が減圧環境下におかれるから、生花３の乾燥が促進される。このため、生花３を、酸化が進行しない程度の短時間で乾燥させることができ、さらに、酸化が進行しにくい低温下で乾燥させることもできる。これにより、変色や褪色が無い、非常に美しい押し花を作ることができる。
【００３６】
また、本実施の形態における押し花の製法によれば、圧縮密封袋１内の空気を吸引排気する際に、強力に吸引すれば圧縮密封袋１の内部が強く減圧されて生花３が強く押圧され、弱く吸引すれば生花３が弱く押圧される。このため、吸引の程度を調節することにより、生花３を押圧する力を調節することができる。従って、例えばツツジやユリのように花弁が薄い花や、強く押圧すると生花の形状が著しく損なわれる大型の花等、従来の方法では美しい押し花にすることが困難であった植物であっても、吸引の程度を適宜調節して圧力を加減すれば、極めて美しい押し花に加工することができる。
【００３７】
なお、上記実施の形態において、圧縮密封袋１を構成するフィルム１１の色は任意であるが、例えば、透明のフィルム１１を用いれば、乾燥中の生花３の様子を確認できるという利点がある。また、フィルム１１として、アルミニウムを蒸着した樹脂製のフィルム等の不透明なフィルムを用いた場合、生花３を外光から保護し、光による褪色を防止することができるという利点がある。
【００３８】
さらに、圧縮密封袋１内に生花３を密封して放置している間に、圧縮密封袋１を開封し、生花３の乾燥の度合いを確認する作業や、シート状乾燥剤２１，２２を交換する等の作業を行っても良い。この場合、作業が完了してから、再び圧縮密封袋１内の空気を強制的に吸引排気すれば良い。
また、圧縮密封袋１内に、生花３とシート状乾燥剤２１，２２とともに、クッション材等を密封するようにしても良い。クッション材等の材料としては、ウレタン、シリコンゴム、合成ゴム、天然ゴムまたは合成樹脂等を用いることが可能であるが、クッション材が全体として可撓性を有していれば、特に制限はない。
【００３９】
また、圧縮密封袋１は、ファスナー１３に加え、例えば、上記強制排気装置を接続するための接続口を備えた構成としても良い。すなわち、強制排気装置に連通するパイプを挿入することが可能で、かつ、当該パイプを引き抜いた後に圧縮密封袋１内に空気が流入しない逆止弁としての機能を備えた接続口を圧縮密封袋１に形成しても良い。この場合、圧縮密封袋１内に生花３及びシート状乾燥剤２１，２２を封入してファスナー１３を閉じ、さらに、接続口に強制排気装置に連通するパイプを挿入して排気を行い、その後、パイプを引き抜けば、全ての作業が完了する。このように、圧縮密封袋１と強制排気装置との接続方法を変更することによって、圧縮密封袋１内の空気を強制排気して密封する作業を簡単にすることができる。これらの変形は、本発明の範囲に含まれる。
【００４０】
また、圧縮密封袋１は、圧縮密封袋１内の空気が吸引排気された状態で密封可能なものであれば良く、ファスナー１３を備えていないものを用いることも可能である。この場合について、以下、変形例として説明する。
【００４１】
図４は、本発明の実施の形態における変形例を示す斜視図である。図４に示すように、この変形例の押し花の製法では、ファスナー１３を備えていない圧縮密封袋４を、吸引密封装置５によって密封する。
【００４２】
圧縮密封袋４は、上記実施の形態における圧縮密封袋１と同様に、水及び湿気を遮断する性質と、気体を遮断する性質と、可撓性とを具備するフィルムにより構成される。このフィルムは合成樹脂によってなり、単層構造または複数のフィルムを積層した構造となっている。また、上記フィルムを構成する層のうち少なくとも一層は熱可塑性を有し、加熱により軟化及び溶着可能である。そして、圧縮密封袋４は、上記フィルムを側縁部４１及び基端縁部４２において溶着または接着した略長方形の構造を有する。
図４に示す状態において、圧縮密封袋４は、上記長方形の一辺に相当する部分が開口部４３となっている。
【００４３】
吸引密封装置５の正面には、圧縮密封袋４を開口部４３側から挿入するための挿入口５１が設けられている。
吸引密封装置５は、圧縮密封袋４内の空気を開口部４３から吸引して排気する吸引排気部（図示略）と、圧縮密封袋４の開口部４３の端部を加熱及び押圧することによって溶着させ、開口部４３を密閉する加熱部（図示略）とを内蔵する。なお、吸引密封装置５は、上記吸引排気部（図示略）及び加熱部（図示略）を動作させるためのスイッチ等を備えているが、これらは図示しない。
【００４４】
圧縮密封袋４及び吸引密封装置５を用いて押し花を作成しようとする場合は、まず、生花３をシート状乾燥剤２１，２２によって挟み、圧縮密封袋４の開口部４３から圧縮密封袋４内に入れる。次に、圧縮密封袋４の開口部４３側の先端を、挿入口５１に挿入し、吸引密封装置５が内蔵する吸引排気部（図示略）によって圧縮密封袋４内の空気を強制的に排気する。そして、圧縮密封袋４内の空気が十分に排気された後に、吸引密封装置５が内蔵する加熱部（図示略）により、圧縮密封袋４の開口部４３側の端部を溶着すれば、圧縮密封袋４が密封される。
【００４５】
この変形例としての押し花の製法は、上記実施の形態と同様の効果が得られる上、ファスナー１３を有しない袋を圧縮密封袋４として利用できるという利点を有する。また、吸引排気部（図示略）及び加熱部（図示略）を内蔵する吸引密封装置５を用いることで、圧縮密封袋４内の空気を吸引排気する作業と圧縮密封袋４を密封する作業とを、極めて簡単に行うことができ、より手軽に美しい押し花を作成できる。
【００４６】
なお、この変形例において、最初に吸引密封装置５を用いて圧縮密封袋４を作成し、その後、上記方法により押し花を作成することも可能である。すなわち、二枚のフィルムを合わせて側縁部４１のみを形成した筒状の材料を予め用意し、押し花を作成するにあたって、上記筒状の材料を生花３の長さに合わせて切断する。そして、切断した材料の基端縁部４２となるべき箇所を挿入口５１に挿入し、吸引密封装置５が内蔵する加熱部（図示略）によって当該箇所を加熱溶着すれば、基端縁部４２が形成され、図４に示す圧縮密封袋４ができあがる。このように、吸引密封装置５を用いて圧縮密封袋４を作成する場合、生花３の大きさに適合するサイズの圧縮密封袋４を、簡単に用意できるという利点がある。
【００４７】
なお、圧縮密封袋４を構成するフィルムは、表面が平滑なものに限定されず、例えば、圧縮密封袋４内部の空気をより確実に排気できるように、１または複数の方向に延びる溝が形成されたものであっても良い。
【００４８】
また、上記変形例において、吸引密封装置５を他の装置で代替することも可能であり、例えば、ポンプや掃除機等により圧縮密封袋４内の空気を吸引排気した後、アイロン等により圧縮密封袋４の開口部４３を加熱して密封することができる。
【００４９】
この他、上記実施の形態およびその変形例における圧縮密封袋１，４やシート状乾燥剤２１，２２の形状、圧縮密封袋１の辺縁部１２及び圧縮密封袋４の側縁部４１や基端縁部４２の加工方法、生花３として用いる植物の種類、シート状乾燥剤２１，２２の色や形状、吸引密封装置５の内部構成等の細部構成については、任意に変更可能であることは勿論である。
【図面の簡単な説明】
【００５０】
【図１】本発明の実施の形態における押し花の製法を説明する分解斜視図である。
【図２】図１に示す生花およびシート状乾燥剤を圧縮密封袋に封入した状態を示す斜視図である。
【図３】図２のＡ−Ａ´線における断面図である。
【図４】本発明の実施の形態における変形例として、押し花の製法を説明する斜視図である。
【符号の説明】
【００５１】
１，４  圧縮密封袋
１１  フィルム
１２  辺縁部
１３  ファスナー
４１  側縁部
４２  基端縁部
４３  開口部
２１，２２  シート状乾燥剤
３  生花
５  吸引密封装置
【図１】
2005262796.tif 000003
【図２】
2005262796.tif 000004
【図３】
2005262796.tif 000005
【図４】
2005262796.tif 000006